(57)【要約】【課題】使用者が座った際の姿勢が安定し、腰への負担がなく、また収納および設置が容易で、かつ強度が高く部品点数の少ない仏事用の椅子を提供する。【解決手段】座部と、上下方向に延びる４本の脚とを備え、前記４本の脚の一端に前記座部が嵌め込み可能であり、かつ前記４本の脚の一端に前記座部が乗せられてなるとともに、互い違いに少なくとも１対の水平杆によって連結され、前記少なくとも１対の水平杆が互いに旋回可能に軸支されてなることを特徴とする、仏事用の折畳組立椅子であって、床面と接する脚の一端に保護キャップが設けられ、前記水平杆の軸支部分に少なくとも１つのスペーサーが用いられている。【選択図】図２
0003135962.tif 000002
【実用新案登録請求の範囲】
【請求項１】
座部と、
上下方向に延びる４本の脚とを備え、
前記４本の脚の一端に前記座部が嵌め込み可能であり、
かつ前記４本の脚の一端に前記座部が乗せられてなるとともに、互い違いに少なくとも１対の水平杆によって連結され、
前記少なくとも１対の水平杆が互いに旋回可能に軸支されてなる仏事用の折畳組立椅子。
【請求項２】
前記脚を折りたたんだ状態で、前記座部の底面に設けられた凹部に一部または全部が収納可能な請求項１記載の仏事用の折畳組立椅子。
【請求項３】
前記座部に、収納状態の前記脚を固定するための固定部材が設けられてなる請求項１または２記載の仏事用の折畳組立椅子。
【請求項４】
前記水平杆が、前記脚に設けられた凹部に嵌め込み式に挿入されてなる請求項１〜３のいずれか１項に記載の仏事用の折畳組立椅子。
【請求項５】
前記脚の一端に、保護キャップが設けられてなる請求項１〜４のいずれか１項に記載の仏事用の折畳組立椅子
【請求項６】
前記水平杆の軸支部分に、少なくとも１つのスペーサーが用いられてなる請求項１〜５のいずれか１項に記載の仏事用の折畳組立椅子。
【考案の詳細な説明】
【技術分野】
【０００１】
本考案は、仏事用の椅子に関する。さらに詳しくは、座部と、上下方向に延びる４本の脚とを備え、前記４本の脚の一端に前記座部が嵌め込み可能であり、かつ前記４本の脚の一端に前記座部が乗せられてなるとともに、互い違いに少なくとも１対の水平杆によって連結され、前記少なくとも１対の水平杆が互いに旋回可能に軸支されてなる仏事用の折畳組立椅子に関する。
【背景技術】
【０００２】
従来から、種々の仏事において、たとえば信者らが僧侶の後方にて１列ないし数列に参列する際、畳の上に長時間正座することが多かった。最近ではそういった場面であっても腰掛椅子に座ることが許容されつつあるが、いずれの場合であっても参列者は脚や膝に負担を感じることが多く、負担軽減のために種々の仏事用椅子が提案されている。
【０００３】
たとえば、特許文献１には、足首の湾曲度に合わせて後端部を高くかつ丸くしたすね敷台に、座板を引き出し可能に内蔵する正座用椅子の技術が開示されている。使用者は、すね敷台の上に脚を乗せて正座することにより、足首の痛みの問題を解決し、正座することができる。
【０００４】
また、特許文献２には、座部を所定の高さで支える脚部を備え、座部の表面が水平面に対して前方へ傾斜した正座用椅子の技術が開示されている。使用者は、膝より下を床と座部の間に挿入して正座する。
【０００５】
また、腰掛椅子として図１に示されるような簡易組立椅子１がある。これは、旋回可能に軸支された脚２の一端がシート３端部と固着され、脚２を開くことによって同時にシート３が広がり、使用者がシート３に座るというものである。
【０００６】
【特許文献１】特開２００６−３３４３７９号公報
【特許文献２】特開２００５−１５２３４２号公報
【考案の開示】
【考案が解決しようとする課題】
【０００７】
しかし、上記特許文献１または特許文献２の技術では、使用者の体重に起因する足首への負担は軽減されるものの、結果として膝をわずかに曲げた状態を長時間維持することとなり、膝への負担がないとはいえず、必ずしも使用者の負担を軽減しているとはいえない。また、設置面に対してシートが傾斜しており、腰を曲げた姿勢を維持せねばならず、腰への負担が新たに生じるという問題がある。
【０００８】
また、図１に示されるように、一般的な腰掛椅子では、シートが布等の可撓性素材からなるため、姿勢が安定しないばかりか長期間の使用により強度が低下しやすい。また、深く腰を下ろす姿勢を取らざるを得ないため、膝や腰への負担が大きいという問題がある。
【０００９】
本考案は、上記従来の問題に鑑みてなされたものであり、使用者が座った際の姿勢が安定し、腰への負担がなく、また収納および設置が容易で、かつ強度が高く部品点数の少ない仏事用の椅子を提供することを目的としている。
【課題を解決するための手段】
【００１０】
本考案の第１の態様にかかわる椅子は、座部と、上下方向に延びる４本の脚とを備え、前記４本の脚の一端に前記座部が嵌め込み可能であり、かつ前記４本の脚の一端に前記座部が乗せられてなるとともに、互い違いに少なくとも１対の水平杆によって連結され、前記少なくとも１対の水平杆が互いに旋回可能に軸支されてなる仏事用の折畳組立椅子である。
【００１１】
本考案の第２の態様にかかわる椅子は、前記第１の態様に示した座部の枠木に切れ込みを設け、折りたたんだ状態の前記脚（実際には水平杆が嵌めこまれる）を前記切れ込みに嵌めこむことにより収納できる、仏事用の折畳組立椅子である。
【００１２】
本考案の第３の態様にかかわる椅子は、前記第１の態様に示した脚および水平杆の長さが短く、座部の底面に設けられた凹部に収納可能としたものである。また、凹部には、脚を広げた際（つまり軸支部分を中心にＸ字状に広げた際）に４本の脚が当接するよう当接枠が設けられた、仏事用の折畳組立椅子である。
【００１３】
本考案の第４の態様にかかわる椅子は、前記第３の態様に示した座部の底面に設けられた凹部に、脚を広げた際（つまり軸支部分を中心にＸ字状に広げた際）に４本の脚を嵌め込むことができるよう勘合部が設けられていることを特徴としている、仏事用の折畳組立椅子である。
【００１４】
また、床面と接する脚の一端に保護キャップが設けられてなることが好ましい。
【００１５】
また、前記水平杆の軸支部分に少なくとも１つのスペーサーが用いられていることが好ましい。
【００１６】
また、前記第２〜４の態様に示した椅子の座部には、収納状態の脚を確実に固定するための固定部材が設けられていることが好ましい。
【考案の効果】
【００１７】
本考案の仏事用の折畳組立椅子は、使用者が座った際に膝に負担がかからないよう充分な長さの脚を有し、かつ座部が設置面に対して水平であるため座った際の姿勢が安定し、腰への負担がなく、また収納および設置が容易で、かつ強度が高く部品点数の少ない仏事用の折畳組立椅子を提供することができる。また、脚の一端に設けられた保護キャップにより、設置面を傷つけることなく、さらに軸支部分に設けられたスペーサーにより、椅子を構成する素材を傷つけることもない。また、脚を座部に収納可能であり、収納の際の省スペース化を実現できる。
【考案を実施するための最良の形態】
【００１８】
本考案の仏事用の折畳組立椅子には、座部と、上下方向に延びる４本の脚とを備え、前記４本の脚の一端に前記座部が嵌め込み可能であり、かつ前記４本の脚の一端に前記座部が乗せられてなるとともに、互い違いに少なくとも１対の水平杆によって連結され、前記少なくとも１対の水平杆が互いに旋回可能に軸支されてなる構造を有する。
【００１９】
以下で、添付図面を参照しながら、本考案の仏事用の折畳組立椅子（以下、単に椅子という）を詳細に説明する。
【００２０】
図１は、従来の簡易組立椅子を説明する斜視図である。図２は、本考案の椅子の一実施形態（実施の形態１）における斜視図である。図３は、本考案の椅子の一実施形態（実施の形態１）における座板の断面拡大図である。図４は、本考案の椅子の一実施形態（実施の形態１）における水平杆の軸支部分の断面拡大図である。図５は、本考案の椅子の一実施形態（実施の形態１）における底面図である。図６は、本考案の椅子の一実施形態（実施の形態１）における座部と脚の挿着機構を説明するための斜視図である。図７（ａ）は、本考案の椅子の一実施形態（実施の形態２）における脚を座部に収納した状態を説明するための底面図である。図７（ｂ）は、本考案の椅子の一実施形態（実施の形態２）における座部の切れ込みを説明するための側面図である。図７（ｃ）は、本考案の椅子の一実施形態（実施の形態２）における脚を座部に収納した状態を説明するための側面図である。図８（ａ）は、本考案の椅子の一実施形態（実施の形態３）における脚を座部に収納した状態を説明するための底面図である。図８（ｂ）は、本考案の椅子の一実施形態（実施の形態３）における脚を座部に収納した状態を説明するための側面図である。図８（ｃ）は、本考案の椅子の一実施形態（実施の形態３）における側面断面図である。図８（ｄ）は、本考案の椅子の一実施形態（実施の形態２）における底面図である。図９（ａ）は、本考案の椅子の一実施形態（実施の形態４）における座部の底面図である。図９（ｂ）は、本考案の椅子の一実施形態（実施の形態４）における側面断面図である。
【００２１】
実施の形態１
実施の形態１の椅子４は、図２に示されるように、座部５と４本の脚６および水平杆７とから構成されている。
【００２２】
座部５は、図３に示されるように、四方の枠木５ａと、底板５ｂと、天板５ｃから構成される。座部５は、上面視で正方形を呈しており、底面および上面には４本の枠木５ａと底板５ｂによって仕切られた部位が凹部５ｄおよび５ｅを構成している。底面の凹部５ｄは、後述のように、四方に４本の脚６がそれぞれ当接し、上面の凹部５ｅは、天板５ｃが嵌め込まれる。なお、枠木５ａと底板５ｂの固着方法は、枠木５ａに設けられた溝５ｆに底板５ｂを嵌め込むことによるが、枠木５ａと底板５ｂの固着方法はこれに限定されず、たとえば溝５ｆに底板５ｂを嵌め込む前に溝５ｆに接着剤をあらかじめ塗っておくことでより強固に固着することができる。また、枠木５ａと底板５ｂをたとえばねじやくぎといった固着手段を用いて固着してもよい。さらに、必要であれば、Ｌ字金具等で補強してもよい。本考案のように、固着手段を用いずに固着することにより、外観上の美観を損ねることがない。また、部品点数が少なくて済み、強度を高く保つこともできる。
【００２３】
天板５ｃは、畳やクッションなど、使用者が長時間の着座に耐え得るような素材を用いることができる。仏事という使用用途を考えた場合、好ましくは畳であるが、電車などの各種乗り物における座席シートのように、ばね材を内蔵したクッションでも問題はない。また、畳など天板５ｃは、上面の凹部５ｅに嵌め込み式に挿入することができる。なお、図４は、天板５ｃが板とござにより構成されている例である。
【００２４】
なお、枠木５ａや底板５ｂには、ヒバ材に代表される各種木材を使用することができる。
【００２５】
次に、脚６について説明する。図２および図５に示されるように、４本の脚６は、水平断面形状が円形であり、それぞれの一端が床と接しており、他端は前述のように、座部５の底面に設けられた凹部５ｄの四隅と当接している。また、脚６には、後述する水平杆７が挿入できるよう少なくとも１箇所の溝６ａが設けられている。なお、本考案では脚６に設けられた溝６ａに水平杆７を挿入することにより固定しているが、脚６と水平杆７の固着方法はこれに限定されず、たとえば溝６ａに水平杆７を嵌め込む前に溝６ａに接着剤をあらかじめ塗っておくことでより強固に固着することができる。また、水平杆７と脚６をたとえばねじやくぎといった固着手段を用いて固着してもよい。本考案のように、固着手段を用いずに固着することにより、外観上の美観を損ねることがない。また、部品点数が少なくて済み、強度を高く保つこともできる。脚６は、水平杆７により互い違いに接続されており、前記水平杆７は、少なくとも１箇所で交差し、交差点８において旋回可能に軸支されている。
【００２６】
なお、図２に示されるように、脚６の床と設置する一端には、床を傷つけないようにキャップ部９を設けることができる。
【００２７】
また、脚６には、ヒバ材に代表される各種木材を使用することができる。
【００２８】
図２、図４および図５に示されるように、水平杆７は、前述のように、４本の脚６を互い違いに接続する部位であり、前記水平杆７は、少なくとも１箇所で交差し、交差点８において旋回可能に軸支されている。交差点８では、ボルト８ａ、ナット８ｂ、スペーサー（本考案ではワッシャー８ｃ）を介して固着されているが、スペーサーを介することにより、スムーズな開閉を可能にするとともに、開閉時に水平杆７を傷つけることがない。特に仏事用の椅子では、椅子の表面を漆などで塗装することもあり、スペーサーを介することにより傷を防ぐことは非常に重要である。なお、スペーサーは、水平杆７の上下に加え、交差する２本の水平杆７の間に設置することが好ましく、これにより、スムーズな開閉を可能にするとともに、開閉時に水平杆７を傷つけることがない。
【００２９】
なお、水平杆７には、ヒバ材に代表される各種木材を使用することができる。
【００３０】
また、図２、図５および図６に示されるように、交差点８において水平杆７が直角となるように開かれた後、座部５の底面に設けられた凹部５ｄの四方に４本の脚６のそれぞれの一端が当接するように嵌め込まれる。
【００３１】
なお、本考案では、交差した水平杆７が２対の場合について説明するが、本考案において、交差した水平杆７の数は特に限定されるものではなく、１対または複数であればよい。なぜなら、前述の図１に示されるような従来の簡易組立椅子１の場合、着座した際に使用者の体重すべてが水平杆２ａの交差点２ｂ（ただし図１では水平に図示せず、設置面に対して垂直に図示している）にかかるため、水平杆２ａの数が１対では不安があるが、本考案の場合、水平杆７は脚６を互い違いに接続し、脚６の開閉機構の一端をなすという目的であるため、荷重がかかることがないからである。
【００３２】
実施の形態２
実施の形態１の座部５と脚６（および水平杆７）を取り外したのち、座部５の底面に設けられた凹部５ｄに収納することができれば、さらに省スペース化を実現することができる。実施の形態２の椅子１０は、図７（ａ）〜（ｃ）に示されるように、座部５の枠木５ａに切れ込み５ｇを設けることにより、脚６（実際に収納される部位は水平杆７である）の一部を座部５に嵌め込み収納可能としたものである。
【００３３】
図７（ａ）に示されるように、水平杆７は、座板５の枠木５ａに設けられた切れ込み５ｇに嵌め込むことにより収納される。また、図７（ｂ）に示されるように、嵌め込んだ水平杆７が容易に外れないように、固定部材５ｈが設けられている。固定部材５ｈは、スナップボタン等の各種ボタンが用いることができるが、本考案の固定部材５ｈは、ボタンに限定されるものではなく、ゴムなどの弾性素材を用いて切れ込みの端部同士を結び付けてもよい。
【００３４】
なお、図７（ｂ）および図７（ｃ）に示されるように、収納した際に２本の水平杆７が枠木５ａと密着するように段差をつけて切れ込み５ｇを設けた場合について説明したが、本考案の切れ込み５ｇは、このような形状に限定されるものではなく、側面視で単に長方形となるように設けてもよい。また、水平杆７の横幅と切れ込み５ｇの横幅を同じかわずかに切れ込み５ｇの横幅が小さくなるように設けた場合においては、嵌め込みにより密着し、固定部材５ｈがなくとも固定することが可能である。
【００３５】
また、嵌めこんだ際に枠木５ａや水平杆７に傷が付かないよう、切れ込み５ｇ表面をゴムなどの弾性素材や衝撃吸収部材で覆うこともできる。
【００３６】
実施の形態３
脚６と水平杆７の長さを短くすることにより、座部５の底面の凹部５ｄに脚６と水平杆７を完全に収納し、最大の省スペース化を実現することが可能である。実施の形態３の椅子１１は、脚６および水平杆７の長さを短くし、座部５の底面に設けられた凹部５ｄに完全に収納可能としたものである。水平杆７の長さを短くすると、交差点８を介して脚６を開いた際に、４本の脚６が座部５の底面に設けられた凹部５ｄの四方に届かなくなる。そこで、図８（ａ）〜（ｄ）に示されるように、座部５の底面に設けられた凹部５ｄの中に、さらに当接枠５ｉを設け、水平杆７が短い場合であっても座部５と当接可能となっている。当接枠５ｉの高さは、一般に１ｃｍもあれば充分であり、高さが低すぎる場合は当接が不安定で、ふとした外力により脚６が当接枠５ｉから外れる危険があり、また高さが高すぎる場合は、収納した際に水平杆７と接触してしまい、完全に収納することができなくなる可能性がある。
【００３７】
実施の形態４
実施の形態４の椅子１２は、実施の形態３で設けた当接枠５ｉの代わりに、図１０（ａ）および（ｂ）に示されるように、座部５の底面に設けられた凹部５ｄに、４本の脚６を嵌め込むことができるよう勘合部５ｊを設けたものである。勘合部５ｊの深さは、一般に１ｃｍもあれば充分であり、深さが浅すぎる場合は固定が不充分で、ふとした外力により脚６が勘合部５ｊから外れる危険があり、また深さが深すぎる場合は、座部５の底板５ｂの強度が低下する可能性がある。
【００３８】
以上のように、本実施の形態の椅子は、座部と、上下方向に延びる４本の脚とを備え、前記４本の脚の一端に前記座部が嵌め込み可能であり、かつ前記４本の脚の一端に前記座部が乗せられてなるとともに、互い違いに少なくとも１対の水平杆によって連結され、前記少なくとも１対の水平杆が互いに旋回可能に軸支されてなることを特徴とし、これにより、使用者が座った際に膝に負担がかからないよう充分な長さの脚を有し、かつ座部が設置面に対して水平であるため座った際の姿勢が安定し、腰への負担がなく、また収納および設置が容易で、かつ強度が高く部品点数の少ない仏事用の折畳組立椅子を提供することができる。また、脚の一端に設けられた保護キャップにより、設置面を傷つけることなく、さらに軸支部分に設けられたスペーサーにより、椅子を構成する素材を傷つけることもない。また、脚を座部に収納可能であり、収納の際の省スペース化を実現できる。
【００３９】
なお、本考案では、座部が上面視で正方形の場合について説明したが、座部の形状はこれに限定されるものではない。たとえば、実施の形態３において、長方形の座部を採用した場合、座部の底面に設けられた凹部の長辺に沿って収納する際において、脚の長さを短くすることなく、完全に収納可能とできる。なぜなら、座部の形状を長方形にすることにより、完全に収納するためには、水平杆の長さを短くするだけで足りるからである。また、これと同様に、水平杆の長さを変えずに脚の長さのみを短くする場合においても完全に収納可能である。この場合は、新たに当接枠を設ける必要はなくなるが、高さの低い椅子となってしまうことから、実用に適さない可能性があるため注意が必要である。
【００４０】
本考案の椅子は、特に限定されないが、仏事において長時間の着座が困難なお年寄りや子供向けの椅子として使用することができる。
【図面の簡単な説明】
【００４１】
【図１】従来の簡易組立椅子を説明する斜視図である。
【図２】本考案の椅子の一実施形態（実施の形態１）における斜視図である。
【図３】本考案の椅子の一実施形態（実施の形態１）における座板の断面拡大図である。
【図４】本考案の椅子の一実施形態（実施の形態１）における水平杆の軸支部分の断面拡大図である。
【図５】本考案の椅子の一実施形態（実施の形態１）における底面図である。
【図６】本考案の椅子の一実施形態（実施の形態１）における座部と脚の挿着機構を説明するための斜視図である。
【図７（ａ）】本考案の椅子の一実施形態（実施の形態２）における脚を座部に収納した状態を説明するための底面図である。
【図７（ｂ）】本考案の椅子の一実施形態（実施の形態２）における座部の切れ込みを説明するための側面図である。
【図７（ｃ）】本考案の椅子の一実施形態（実施の形態２）における脚を座部に収納した状態を説明するための側面図である。
【図８（ａ）】本考案の椅子の一実施形態（実施の形態３）における脚を座部に収納した状態を説明するための底面図である。
【図８（ｂ）】本考案の椅子の一実施形態（実施の形態３）における脚を座部に収納した状態を説明するための側面図である。
【図８（ｃ）】本考案の椅子の一実施形態（実施の形態３）における側面断面図である。
【図８（ｄ）】本考案の椅子の一実施形態（実施の形態３）における底面図である。
【図９（ａ）】本考案の椅子の一実施形態（実施の形態４）における座部の底面図である。
【図９（ｂ）】本考案の椅子の一実施形態（実施の形態４）における側面断面図である。
【符号の説明】
【００４２】
１  簡易組立椅子
２、６  脚
２ａ、７  水平杆
２ｂ、８  交差点
３  シート
４、１０、１１、１２  椅子
５  座部
５ａ  枠木
５ｂ  底板
５ｃ  天板
５ｄ、５ｅ  凹部
５ｆ、６ａ  溝
５ｇ  切れ込み
５ｈ  固定部材
５ｉ  当接枠
５ｊ  勘合部
８ａ  ボルト
８ｂ  ナット
８ｃ  ワッシャー
９  キャップ部
【図１】
0003135962.tif 000003
【図２】
0003135962.tif 000004
【図３】
0003135962.tif 000005
【図４】
0003135962.tif 000006
【図５】
0003135962.tif 000007
【図６】
0003135962.tif 000008
【図７（ａ）】
0003135962.tif 000009
【図７（ｂ）】
0003135962.tif 000010
【図７（ｃ）】
0003135962.tif 000011
【図８（ａ）】
0003135962.tif 000012
【図８（ｂ）】
0003135962.tif 000013
【図８（ｃ）】
0003135962.tif 000014
【図８（ｄ）】
0003135962.tif 000015
【図９（ａ）】
0003135962.tif 000016
【図９（ｂ）】
0003135962.tif 000017